(57)【要約】【課題】  固定側部材と回転側部材との固体接触をなくし、所望の回転精度を達成する。【解決手段】  ベース部２に対して回転可能に支持される回転体３に、工具または被加工物を着脱可能に開閉される複数の爪部５と、該爪部５を開閉駆動する流体圧アクチュエータ４，６と、該流体圧アクチュエータ４，６に流体圧を供給する流体圧室７と、該流体圧室７にベース部２側から流体圧を供給する流体圧供給機構８とを備え、該流体圧供給機構８が、前記回転体３の回転軸に沿って流体圧室７内外を貫通する貫通孔１０と、ベース部２に固定され、貫通孔１０に半径方向に微小隙間をあけて挿入され、流体を流通させる流通孔１２ａを備える中空ロッド１２とを備えるチャック装置１を提供する。【選択図】      図１
2006218590.tif 000002
【特許請求の範囲】
【請求項１】
ベース部に対して回転可能に支持される回転体に、
工具または被加工物を着脱可能に開閉される複数の爪部と、
該爪部を開閉駆動する流体圧アクチュエータと、
該流体圧アクチュエータに流体圧を供給する流体圧室と、
該流体圧室にベース部側から流体圧を供給する流体圧供給機構とを備え、
該流体圧供給機構が、前記回転体の回転軸に沿って前記流体圧室内外を貫通する貫通孔と、前記ベース部に固定され、前記貫通孔に半径方向に微小隙間をあけて挿入され、流体を流通させる流通孔を備える中空ロッドとを備えるチャック装置。
【請求項２】
前記流体圧アクチュエータが、前記複数の爪部を固定する弾性変形可能なダイヤフラム部と、該ダイヤフラム部を弾性変形させるピストンとを備える請求項１に記載のチャック装置。
【請求項３】
ベース部と、
該ベース部に対して回転可能に支持される回転体と、
該回転体をベース部に回転可能に支持する流体軸受と、
前記ベース部に対して回転体を回転駆動させるアクチュエータと、
請求項１または請求項２に記載のチャック装置とを備える主軸スピンドル装置。
【請求項４】
前記流体軸受が、回転体の周面および長手方向の端面に微小隙間をあけて対向するベース部側の対向面にそれぞれ設けられた凹部と、該凹部に供給される加圧された流体とにより構成された静圧軸受からなる請求項３に記載の主軸スピンドル装置。
【請求項５】
前記チャック装置および流体軸受に共通の流体圧源が接続されている請求項３または請求項４に記載の主軸スピンドル装置。
【請求項６】
前記流体がオイルであり、
前記ベース部と回転体との間の微小隙間から漏洩するオイルを回収するオイル回収機構を備え、
前記中空ロッドと流体圧室の貫通孔との間の微小隙間から漏洩するオイルが前記オイル回収機構により回収される請求項３から請求項５のいずれかに記載の主軸スピンドル装置。
【請求項７】
請求項２から請求項６のいずれかに記載の主軸スピンドル装置を備える工作機械。
【発明の詳細な説明】
【技術分野】
【０００１】
本発明は、チャック装置、主軸スピンドル装置および工作機械に関するものである。
【背景技術】
【０００２】
従来、工作機械の主軸ヘッドのように、工具や被加工物を回転させながら、切削あるいは穿孔加工を行う場合に、工具や被加工物を着脱可能に把持するチャック装置が採用されている。チャック機構としては、半径方向に相互に近接・離間可能な複数の爪部を有するものが一般的であり、爪部を近接・離間させる駆動源としては、油圧源または空気圧源が採用される。
【０００３】
しかしながら、主軸ヘッドはベース部に対して回転させられるものであるため、チャック装置を駆動させる油圧は固定側から回転側へ供給する必要がある。
従来、固定側から回転側へ油圧を供給する手段としては、例えば、特許文献１に示される回転シール継手が知られている。
【０００４】
特許文献１の回転シール継手は、スプリング力を利用した定圧機構により回転シール部材の回転側部材に固定側部材を定常圧で接触させる構造のものである。この回転シール継手によれば、固定部材側から回転部材側に油圧を油漏れなく提供できる。
【特許文献１】特開平８−２１０５７４号公報
【発明の開示】
【発明が解決しようとする課題】
【０００５】
しかしながら、特許文献１の回転シール継手は、固定側部材と回転側部材とを所定の圧力で接触させるものであるため、両者間に摩擦力を生じ、回転精度が低下する不都合がある。その結果、この回転シール継手によって油圧を供給するチャック装置または主軸スピンドル装置では、所望の回転精度を達成できないために、加工精度が低下してしまう不都合がある。
【０００６】
本発明は上述した事情に鑑みてなされたものであって、固定側部材と回転側部材との固体接触をなくし、所望の回転精度を達成できるチャック装置、主軸スピンドル装置および工作機械を提供することを目的としている。
【課題を解決するための手段】
【０００７】
上記目的を達成するために、本発明は以下の手段を提供する。
本発明は、ベース部に対して回転可能に支持される回転体に、工具または被加工物を着脱可能に開閉される複数の爪部と、該爪部を開閉駆動する流体圧アクチュエータと、該流体圧アクチュエータに流体圧を供給する流体圧室と、該流体圧室にベース部側から流体圧を供給する流体圧供給機構とを備え、該流体圧供給機構が、前記回転体の回転軸に沿って前記流体圧室内外を貫通する貫通孔と、前記ベース部に固定され、前記貫通孔に半径方向に微小隙間をあけて挿入され、流体を流通させる流通孔を備える中空ロッドとを備えるチャック装置を提供する。
【０００８】
本発明によれば、中空ロッドが流体圧室の貫通孔に微小隙間をあけて挿入されており、かつ、貫通孔が、回転体の回転軸に沿って配置されているので、ベース部に対して回転体が回転軸回りに回転させられると、流体圧室の貫通孔は中空ロッドに対して微小隙間を保ったまま中空ロッドの周囲を回転させられる。そして、中空ロッドの流通孔を介して流体圧室に加圧された流体を供給することにより、ベース部から回転体に流体圧が供給される。
【０００９】
この場合において、貫通孔と中空ロッドとの間の隙間は微小隙間に保たれているので、ベース部と回転体との固体接触が回避される。また、中空ロッドから流体圧室内に供給された流体は、その一部が隙間を介して外部に漏れるものの、貫通孔と中空ロッドとの間の隙間は微小隙間に保たれているので、流体圧室内が大気開放されることなく、所定の流体圧が維持される。したがって、ベース部に対して回転体が高速回転させられても、固体接触による摩擦力が発生することはなく、高い回転精度に維持することができる。
流体としては、オイル、水等の液体、空気等の気体が挙げられる。
【００１０】
流体圧室に流体圧が供給されると流体圧アクチュエータが駆動され、複数の爪部が開閉駆動される。したがって、例えば、流体圧アクチュエータが駆動されたときに爪部相互間の距離が開き、流体圧アクチュエータが駆動停止されたときに爪部相互間の距離が縮小するように設定しておくことにより、流体圧の供給によって流体圧アクチュエータを駆動して爪部を開き、工具や被加工物の着脱を可能とし、流体圧の供給停止により流体圧アクチュエータを駆動停止させることで、爪部を閉じて工具や被加工物を把持状態に維持することができる。
【００１１】
上記発明においては、前記流体圧アクチュエータが、前記複数の爪部を固定する弾性変形可能なダイヤフラム部と、該ダイヤフラム部を弾性変形させるピストンとを備えることとしてもよい。
流体圧室に流体圧が供給されると、ピストンが駆動され、これによってダイヤフラム部が弾性変形させられるので、ダイヤフラム部に固定された複数の爪部が、ダイヤフラム部の弾性変形によって変位させられる。したがって、例えば、ダイヤフラム部が弾性変形したときに爪部相互間の距離が開き、弾性変形が復元したときに爪部相互間の距離が縮小するように設定しておくことにより、流体圧の供給によってピストンを駆動して爪部を開き、工具や被加工物の着脱を可能とし、流体圧の供給停止によりダイヤフラム部の弾性変形を復元させることで、爪部を閉じて工具や被加工物を把持状態に維持することができる。
【００１２】
また、本発明は、ベース部と、該ベース部に対して回転可能に支持される回転体と、該回転体をベース部に回転可能に支持する流体軸受と、前記ベース部に対して回転体を回転駆動させるアクチュエータと、上記チャック装置とを備える主軸スピンドル装置を提供する。
流体軸受としては、静圧軸受および動圧軸受が挙げられる。
本発明によれば、アクチュエータの駆動によりベース部に対して回転体が回転駆動される。回転体にはチャック装置が備えられているので、チャック装置の作動によって、工具あるいは被加工物を把持した状態で、アクチュエータを駆動することにより、工具あるいは被加工物を回転体の回転軸線回りに回転させることができる。回転体は流体軸受により支持されているので、ベース部と回転体との間における機械的な摩擦力もほとんどなく、高い回転精度でチャック装置により把持したものを回転させることができる。
【００１３】
上記発明においては、前記流体軸受が、回転体の周面および長手方向の端面に微小隙間をあけて対向するベース部側の対向面にそれぞれ設けられた凹部と、該凹部に供給される加圧された流体とにより構成された静圧軸受からなることとしてもよい。
凹部に加圧された流体を供給することにより、各凹部において回転体とベース部との間に静圧が発生し、回転体がベース部に対して静圧により浮上した状態に支持される。したがって、回転体は、ベース部と固体接触することなく、高い精度で回転させられることになる。この場合に、凹部とベース部側の対向面との微小隙間から流体の一部が漏れることになるが、両者の隙間を微小隙間に維持することで、凹部内の静圧を維持し、回転体を円滑に回転可能に支持することができる。
【００１４】
また、上記発明においては、前記チャック装置および流体軸受に共通の流体圧源が接続されていることが好ましい。
このように構成することで部品点数を低減し、装置の小型化、低コスト化を図ることができる。チャック装置を作動させるのは、爪部により工具または被加工物を把持する場合か、工具または被加工物を爪部間から取り外すときであり、回転体が静止しているとき、または、回転体が回転していてもその回転精度が要求されていない場合に限られる。したがって、流体軸受の流体圧源をチャック装置の流体圧源と共通化しても、チャック装置の動作状態によって回転体の回転精度に影響を与えることがない。
【００１５】
また、上記発明においては、前記流体がオイルであり、前記ベース部と回転体との間の微小隙間から漏洩するオイルを回収するオイル回収機構を備え、前記中空ロッドと流体圧室の貫通孔との間の微小隙間から漏洩するオイルが前記オイル回収機構により回収されることが好ましい。
このように構成することで、流体軸受を構成するベース部と回転体との微小隙間から漏洩するオイルおよび油圧供給機構を構成する中空ロッドと流体圧室の貫通孔との微小隙間から漏洩するオイルが共通のオイル回収機構により回収される。したがって、オイル回収機構を個別に設ける必要がなく、装置を簡易に構成することができる。
【００１６】
また、本発明は、上記いずれかの主軸スピンドル装置を備える工作機械を提供する。
本発明によれば、主軸スピンドル装置により工具または被加工物を高精度で回転させるので、被加工物を精度よく加工することができる。
【発明の効果】
【００１７】
本発明によれば、ベース部と回転体との間に固体接触を生じさせることなく、回転体に設けられた流体圧室にベース部側から流体圧を供給し、爪部を開閉することができる。したがって、回転体が回転する際の機械的な摩擦力の発生を抑制し、回転精度を向上しつつ、回転体に設けられた爪部を流体圧により開閉することができるという効果を奏する。
【発明を実施するための最良の形態】
【００１８】
本発明の一実施形態に係るチャック装置１について、図１を参照して説明する。
本実施形態に係るチャック装置１は、図１に示されるように、ベース部２に対して回転可能に支持された回転体３の先端に設けられたダイヤフラム部４と、該ダイヤフラム部４に固定された３個の爪部５と、ダイヤフラム部４を弾性変形させるピストン６と、ピストン６を駆動する油圧室７と、油圧室７に油圧を供給する油圧供給機構８とを備えている。
【００１９】
ダイヤフラム部４は、回転体３の回転軸線に沿う一端に配置された円板部４ａを備えている。円板部４ａの中央には貫通孔４ｂが設けられている。ダイヤフラム部４は、中央の貫通孔４ｂ部分において板厚方向に押圧されることで、円板部４ａを弾性変形させて回転体３の回転軸線方向に微小変位することができるようになっている。
【００２０】
前記爪部５は、図１においては２つのみを表示しているが、前記ダイヤフラム部４の円板部４ａの一面に周方向に等間隔をあけて３カ所に配置されているとともに、被加工物（図示略）を把持する把持面５ａが、回転体３の回転中心に向かって相互に対向するように配置されている。これにより、各爪部５は、ダイヤフラム部４が回転体３の回転軸線方向に沿って弾性変形させられると、その把持面５ａ間の距離を大きくする方向に変位させられ、ダイヤフラム部４の弾性変形が復元されると、その把持面５ａ間の距離を小さくするように変位させられるようになっている。
【００２１】
前記ピストン６は、回転体３に設けられた収容部９内に軸線方向に移動可能に配置され、その先端を前記ダイヤフラム部４の円板部４ａの裏面に接触させられている。これにより、ピストン６が収容部９内において回転軸線方向に移動させられると、ピストン６の先端が直接ダイヤフラム部４の円板部４ａを押圧して弾性変形させるようになっている。
【００２２】
前記油圧室７は、回転体３の中心部を貫通して形成される中心孔であって、一端において、ピストン６の収容部９に接続している。また、油圧室７の他端には、回転体３の中心となる位置に、貫通孔１０が形成されている。貫通孔１０は円筒状のブッシュ１１の中心孔により構成されている
前記油圧供給機構８は、前記油圧室７の貫通孔１０内に半径方向に微小隙間をあけて挿入配置される中空ロッド１２により構成されている。中空ロッド１２はベース部２に固定され、オイルを油圧室７に供給する流通孔１２ａを備えている。
【００２３】
このように構成された本実施形態に係るチャック装置１の作用について、以下に説明する。
本実施形態に係るチャック装置１により、被加工物を把持するには、ベース部２に固定された中空ロッド１２から加圧されたオイルＬを供給する。中空ロッド１２は、油圧室７に設けられた貫通孔１０に隙間をあけて挿入されているので、オイルＬは、中空ロッド１２と油圧室７の貫通孔１０との隙間から一部漏洩する。しかし、中空ロッド１２と貫通孔１０との隙間は微小隙間とされているので、油圧室７内は、完全に大気開放されることなく、所定の油圧が維持された状態となる。
【００２４】
油圧室７に油圧が作用すると、油圧室７に接続した収容部９内の圧力が上昇し、収容部９内に収容されているピストン６が先端に向かって押圧される。ピストン６は、回転体３の回転軸線方向に移動可能に設けられているので、油圧室７の油圧によって回転軸線方向に沿って移動させられ、その移動前方に配置されているダイヤフラム部４の中央の円板部４ａを押圧する。ピストン６により押圧されたダイヤフラム部４は円板部４ａを弾性変形させることで、その貫通孔４ｂ近傍を軸線方向に変位させる。
【００２５】
ダイヤフラム部４には複数の爪部５が固定されているので、ダイヤフラム部４が弾性変形させられると、これに伴い、ダイヤフラム部４に固定された爪部５が図１に矢印Ａで示されるように変位させられる。
上述したように爪部５は、ダイヤフラム部４が弾性変形させられたときに把持面５ａ間の距離を大きくする方向に変位させられるので、中空ロッド１２から油圧を供給することで、爪部５が開き、把持面５ａ間に被加工物を挿入できるようになる。
【００２６】
次いで、被加工物を把持面５ａ間に配置した状態で、中空ロッド１２に供給した油圧を解除することにより、ダイヤフラム部４の弾性変形が復元するので、把持面５ａ間の距離が縮小し、把持面５ａ間に挿入配置されている被加工物を把持面５ａによって挟んで把持することができる。これにより、被加工物は、回転体３の回転軸線上に、爪部５によって把持された状態とされる。
【００２７】
そして、ベース部２に対して回転体３をその回転軸線回りに回転させることにより、爪部５に把持された被加工物を回転させることができる。
この場合において、回転体３が回転させられると、該回転体３に設けられている油圧室７も回転させられる一方、ベース部２に固定されている中空ロッド１２は固定された状態に維持されるので、中空ロッド１２の周囲において、微小隙間をあけた油圧室７の貫通孔１０が回転させられる。このとき、中空ロッド１２と貫通孔１０内面とは微小隙間をあけた状態に維持されるので、両者が固体接触することが回避され、機械的な摩擦の発生が抑制されることになる。
したがって、ベース部２に対して回転体３を円滑に回転させることができ、高い回線精度で被加工物を回転させることができる。
【００２８】
次に、本発明の一実施形態に係る主軸スピンドル装置１３について、図１および図２を参照して以下に説明する。
本実施形態に係る主軸スピンドル装置１３は、図２に示されるように、工作機械１４の被加工物を把持して回転させる装置であって、工作機械１４のベース１５に水平方向に移動可能に支持されたテーブル１６上に固定されている。
なお、本実施形態の説明において、上述した本発明の一実施形態に係るチャック装置１と構成を共通とする箇所には同一符号を付して説明を省略する。
【００２９】
本実施形態に係る主軸スピンドル装置１３は、図１に示されるように、テーブル１６上に固定されるベース部２と、該ベース部２に対し、水平な回転軸線回りに回転可能に支持される回転体３と、該回転体３をベース部２に対して回転可能に支持する静圧軸受１７と、回転体３に設けられる上記チャック装置１と、回転体３をベース部２に対して回転駆動するアクチュエータ１８とを備えている。
【００３０】
前記回転体３は、略円筒状部材であって、円筒面３ａと、該円筒面３ａから半径方向外方に突出する鍔状部３ｂとを備えている。
前記ベース部２は、回転体３を収容する収容孔１９を有している。収容孔１９には、前記回転体３の円筒面３ａに微小間隔をあけて対向する円筒内面１９ａと前記鍔状部３ｂの軸方向両端面に微小間隔をあけて対向するリング状平面１９ｂとが設けられている。
【００３１】
前記静圧軸受１７は、前記ベース部２の円筒内面１９ａおよびリング状平面１９ｂに、それぞれ一段窪んで形成された凹部２０ａ，２０ｂと、該凹部２０ａ，２０ｂに供給されるオイルとにより構成された複数の静圧パッドにより構成されている。静圧パッドは、円筒内面１９ａおよびリング状平面１９ｂのそれぞれに、周方向に間隔をあけて複数設けられている。また、静圧パッドは、円筒内面１９ａに、軸線方向にも間隔をあけて複数、例えば、２カ所に設けられている。
【００３２】
各静圧パッドの凹部２０ａ，２０ｂには、油圧を供給する油圧供給配管２１が接続されている。油圧供給配管２１を介して加圧されたオイルが凹部２０ａ，２０ｂに供給されると、各凹部２０ａ，２０ｂの位置で凹部２０ａ，２０ｂとこれに対向する円筒面３ａおよび鍔状部３ｂの平坦面との間に挟まれる空間に溜まったオイルが、ベース部２に対して回転体３を軸線方向に押圧するようになっている。
【００３３】
凹部２０ａは回転体３の周囲に周方向に間隔をあけて複数設けられているので、回転体３は周方向の複数方向から回転軸線に直交する方向に押圧され、その力の釣り合いによって、ベース部２に設けられた収容孔１９の中心に浮上した状態に支持されるようになっている。
また、凹部２０ｂは鍔状部３ｂを回転軸線方向に挟んで両側に設けられているので、回転体３は鍔状部３ｂにおいて回転軸線方向の両側から油圧により押圧されることになり、その力の釣り合いによって、収容孔１９内において回転軸線に沿う方向にも位置決め状態に維持されるようになっている。
【００３４】
前記アクチュエータ１８は、例えば、モータであって、ベース部２内に配置されるコイル１８ａと、回転体３の外周面に配列される永久磁石１８ｂとを備えている。コイル１８ａに電流が供給されると、発生する磁場の作用により、永久磁石１８ｂとの間に吸引力および反発力が発生し、回転体３がベース部２に対して回転軸線回りに一方向に回転させられるようになっている。
【００３５】
さらに、本実施形態に係る主軸スピンドル装置１３は、静圧軸受１７の各静圧パッドにおいて、ベース部２と回転体３との微小隙間から、静圧パッド内のオイルの一部が漏洩するため、オイル回収機構２２を備えている。オイル回収機構２２は、図２に示されるように、工作機械１４のベース１５に配置され、落下してくるオイルを受けるオイルパン２２ａと回収配管２２ｂとを備えている。
【００３６】
本実施形態においては、チャック装置１の油圧供給機構８が、一部のオイルがその微小隙間から漏洩することを許容する方式のものを採用しているので、そのオイルを回収するために静圧パッドから漏洩するオイルを回収するオイル回収機構２２を利用することができるようになっている。
これにより、静圧パッドにおけるベース部２と回転体３との微小隙間から漏洩するオイル、およびチャック装置１の油圧供給機構８における微小隙間から漏洩するオイルは、共通のオイルパン２２ａにより受け止められて、回収配管２２ｂを介して油圧源２３まで戻され再利用されるようになっている。
【００３７】
さらに、図２に示される工作機械１４においては、主軸スピンドル装置１３をベース１５に対して水平移動させるテーブル１６も静圧軸受２４により水平移動可能に支持されている。そして、静圧軸受２４への油圧供給は主軸スピンドル装置１３の静圧軸受１７に油圧を供給する油圧源２３と同一の油圧源２３により行われ、また、静圧軸受２４から漏洩するオイルも上記オイル回収機構２２によって回収され再利用されるように構成されている。
【００３８】
図中、２５は油圧源２３から供給された油圧を分岐して、静圧軸受１７およびチャック装置１にそれぞれ異なる圧力で供給するレギュレータ（図示略）およびチャック装置１への油圧の供給をオンオフするための電磁弁（図示略）を備えた油圧制御装置である。また、図中符号２６は、チャック装置１により把持された被加工物に対して相対的に近接・離間させられて被加工物を切削加工等する工具、符号２７は工具台である。
【００３９】
この図において、工具台２７も静圧軸受２８により支持されており、静圧軸受２８への油圧供給は主軸スピンドル装置１３の静圧軸受１７に油圧を供給する油圧源２３と同一の油圧源２３により行われている。また、工具台２７もオイル回収機構２９としてオイルパン３０を備えているが、主軸スピンドル装置１３の回収配管２２ｂに合流する回収配管３１を備えている。  
【００４０】
このように構成された本実施形態に係る主軸スピンドル装置１３の作用について以下に説明する。
本実施形態に係る主軸スピンドル装置１３によれば、回転体３が静圧軸受１７により回転可能に支持されているので、回転体３とベース部２との間に機械的な摩擦力をほとんど生じることがない。さらに、チャック装置１の爪部５を開閉駆動するための油圧供給機構８も、回転体３に設けた貫通孔１０内に中空ロッド１２を隙間をあけて挿入することにより構成されているので、回転体３の回転において機械的な摩擦をほとんど生じない。
【００４１】
すなわち、本実施形態に係る主軸スピンドル装置１３は、静圧軸受１７および油圧供給機構８において機械的な摩擦を生じないので、回転体３を円滑に、かつ、精度よく回転させることができ、したがって、回転体３のチャック装置１により把持した被加工物を高い精度で回転させることができるという利点がある。
【００４２】
また、本実施形態に係る主軸スピンドル装置１３は、チャック装置１の回転体３を静圧軸受１７により支持し、かつ、チャック装置１を油圧により駆動するが、それらに用いる油圧を共通の油圧源２３から供給するので、油圧源２３を複数設ける必要がなく、部品点数を削減し、コスト低減、設置スペースの低減、主軸スピンドル装置１３およびそれを有する工作機械１４の小型化を図ることができる。
【００４３】
なお、チャック装置１を作動させて被加工物を着脱するのは、加工を行っていない場合、すなわち、回転体３が停止しているとき、または回転体３が回転していても、着脱のために低速回転していて回転精度を要求されない場合であり、チャック装置１と静圧軸受１７とを共通の油圧源２３により駆動することとしても、チャック装置１の駆動により、静圧軸受１７による回転体３の円滑な支持状態に妨げられることはない。
【００４４】
さらに、本実施形態に係る主軸スピンドル装置１３によれば、チャック装置１を駆動する油圧源２３およびオイル回収機構２２を、ベース部２に対する回転体３の静圧軸受１７およびベース１５に対するテーブル１６の静圧軸受２４を駆動する油圧源２３およびオイル回収機構２２と共通化できる。したがって、オイルの一部が漏洩する油圧供給機構８を備えたチャック装置１を採用しても、別途オイル回収機構を設ける必要がない。
したがって、オイルの回収の点においても、部品点数を削減し、コスト低減、設置スペースの低減および小型化を図ることができるという利点がある。
【００４５】
なお、上記各実施形態においては、チャック装置１としてダイヤフラムチャックを用いた場合について説明したが、これに限定されるものではなく、コレットチャックその他の任意の方式の流体圧駆動のチャック装置を採用してもよい。また、チャック装置１の爪部５が３つの場合を例に挙げて説明したが、これに代えて、任意の数の爪部５を有するチャック装置１としてもよい。
【００４６】
また、回転体３の先端部にピストン６、収容部９およびダイヤフラム部４を備えた構造のものを例示したが、これに代えて、回転体３の先端に、アクチュエータとダイヤフラムとを備えるダイヤフラムチャックを着脱可能に取り付ける構造のものを採用してもよい。
また、作動流体としてオイルを例に挙げ、流体圧として油圧を採用したが、これに代えて、他の流体、例えば、水や空気を用いてもよい。
また、流体軸受として静圧軸受を例に挙げて説明したが、これに限定されるものではなく、動圧軸受を用いてもよい。
【図面の簡単な説明】
【００４７】
【図１】本発明の一実施形態に係るチャック装置および主軸スピンドル装置を示す縦断面図である。
【図２】図１の主軸スピンドル装置を備えた工作機械の油圧経路を模式的に示す図である。
【符号の説明】
【００４８】
１  チャック装置
２  ベース部
３  回転体
４  ダイヤフラム部（流体圧アクチュエータ）
５  爪部
６  ピストン（流体圧アクチュエータ）
７  油圧室（流体圧室）
８  油圧供給機構（流体圧供給機構）
１０  貫通孔
１２ａ  流通孔
１２  中空ロッド
１３  主軸スピンドル装置
１７  静圧軸受（流体軸受）
１８  アクチュエータ
１９ａ  円筒内面（対向面）
１９ｂ  リング状平面（対向面）
２０ａ，２０ｂ  凹部
２２  オイル回収機構
２３  油圧源（流体圧源）
【図１】
2006218590.tif 000003
【図２】
2006218590.tif 000004